(57)【要約】【課題】利用者の操作性、利用者の操作時間の短縮に寄与しながら、多機能化を実現する入出金装置を提供する。【解決手段】ＩＣチップが搭載された媒体又はＩＣチップが搭載された端末を用いて取引可能な入出金装置（１００）であって、媒体又は端末を載置可能な置き台（１０７）と、置き台に載置された媒体又は端末の画像を読み取り可能な位置に設置される読取部であって、置き台に載置された媒体又は端末の画像及び／又はコード情報を読み取る読取部（１０５、１０６）と、置き台の内部又は近傍に設置されるＩＣ通信部であって、置き台に載置された媒体又は端末に搭載されるＩＣチップと通信を行い、当該ＩＣチップに記憶される情報の読み取り及び／又は書き込みを行う、ＩＣ通信部（１０９）と、読取部及びＩＣ通信部を制御するための制御部（１３２、１３３）と、を備える。【選択図】図１
2020017063.tif 000002
【特許請求の範囲】
【請求項１】
ＩＣチップが搭載された媒体又はＩＣチップが搭載された端末を用いて取引可能な入出金装置であって、
前記媒体又は前記端末を載置可能な置き台と、
前記置き台に載置された媒体又は端末の画像を読み取り可能な位置に設置される読取部であって、前記置き台に載置された媒体又は端末の画像及び／又はコード情報を読み取る読取部と、
前記置き台の内部又は近傍に設置されるＩＣ通信部であって、前記置き台に載置された媒体又は端末に搭載されるＩＣチップと通信を行い、当該ＩＣチップに記憶される情報の読み取り及び／又は書き込みを行う、ＩＣ通信部と、
前記読取部及び前記ＩＣ通信部を制御するための制御部と、
を備える入出金装置。
【請求項２】
前記置き台は表示装置を備え、前記表示装置の表示面上に前記媒体又は前記端末を載置可能であり、
前記制御部は、前記表示装置をさらに制御する、請求項１に記載の入出金装置。
【請求項３】
前記制御部は、前記読取部及び前記ＩＣ通信部の少なくともいずれかを動作させるときに、前記媒体又は前記端末を載置する位置をガイドするための画面を前記表示装置に表示させる、請求項２に記載の入出金装置。
【請求項４】
前記表示装置とは異なる第２表示装置をさらに備える、請求項２又は３に記載の入出金装置。
【請求項５】
前記読取部は、
前記置き台に載置された媒体又は端末を、画像として読み取る光学読取部と、
前記置き台に載置された媒体又は端末に表示されるコード情報を読み取るコード読取部と、
を備える請求項１から４のいずれか一項に記載の入出金装置。
【請求項６】
前記制御部は、前記置き台に前記媒体又は前記端末が載置されるとき、前記コード読取部、前記光学読取部、及び前記ＩＣ通信部のうちの少なくとも２つを連動して動作させる、請求項５に記載の入出金装置。
【請求項７】
前記制御部は、前記コード読取部、前記光学読取部、及び前記ＩＣ通信部のうち、少なくとも１つを動作させると決定し、決定した処理を動作させ、
決定した処理が完了した後、処理結果に基づいて、前記コード読取部、前記光学読取部、及び前記ＩＣ通信部のうち、少なくとも１つをさらに動作させる、請求項５又は６に記載の入出金装置。
【請求項８】
前記置き台に前記媒体が載置されると、
前記制御部が、前記光学読取部、及び前記ＩＣ通信部を連動して動作させ、
前記ＩＣ通信部が前記媒体の前記ＩＣチップから読み取った情報と、前記光学読取部が取得した画像に対して文字認識処理を行うことによって得た情報とが照合される、請求項６に記載の入出金装置。
【請求項９】
前記置き台に、前記コード情報を表示した前記端末が載置されると、
前記制御部が前記コード読取部を動作させて、
前記制御部は、前記コード読取部が読み取ったコード情報に基づいて、前記ＩＣ通信部を動作させる、請求項７に記載の入出金装置。
【請求項１０】
撮像部をさらに備え、
前記光学読取部又は前記ＩＣ通信部が前記媒体から取得した顔写真と、前記撮像部が撮像した画像とが照合される、請求項５から９のいずれか一項に記載の入出金装置。
【発明の詳細な説明】
【技術分野】
【０００１】
本発明は、入出金装置に関する。
【背景技術】
【０００２】
現金自動預払装置（以下、ＡＴＭという。）は、例えば、金融機関やコンビニエンスストア、駅等に設置されおり、金融機関等が入出金等のサービスを利用者に提供する機械である。ＡＴＭは、金融機関の店舗のみならず、コンビニエンスストアや商業施設、駅、空港等の公共空間に広く設置されることで、社会インフラとして機能し得る、人々の生活に欠かせないものになっている。
【０００３】
より多様な取引をより安全に行うため、ＡＴＭの高性能化、多機能化が望まれる。特許文献１には、バーコードやＱＲコード（登録商標）を読み取るための読取部であるリーダを備えたＡＴＭが開示されている。特許文献２には、非接触ＩＣカードまたは非接触ＩＣカード機能を有する携帯電話機に対する読取及び書き込みを行うＩＣカードリーダ／ライタを備えたＡＴＭが開示されている。特許文献３には、個人番号カードなどのＩＣカードから情報を読み取るＩＣカードリーダを備えたＡＴＭが開示されている。
【先行技術文献】
【特許文献】
【０００４】
【特許文献１】特開２０１８−０３６８０６号公報
【特許文献２】特開２０１０−１０８３５８号公報
【特許文献３】特開２０１６−１５７１５７号公報
【発明の概要】
【発明が解決しようとする課題】
【０００５】
一方で、高性能化、多機能化は操作性とトレードオフの関係にあり、多機能化を図ることによって操作が複雑になり、利用者にストレスを与えてしまう恐れや、利用者の操作時間が長くなってしまう恐れがある。
【０００６】
そこで、本発明は、利用者の操作性、利用者の操作時間の短縮に寄与しながら、多機能化を実現する入出金装置を提供することを目的とする。
【課題を解決するための手段】
【０００７】
本発明の一態様に係る、ＩＣチップが搭載された媒体又はＩＣチップが搭載された端末を用いて取引可能な入出金装置は、媒体又は端末を載置可能な置き台と、置き台に載置された媒体又は端末の画像を読み取り可能な位置に設置される読取部であって、置き台に載置された媒体又は端末の画像及び／又はコード情報を読み取る読取部と、置き台の内部又は近傍に設置されるＩＣ通信部であって、置き台に載置された媒体又は端末に搭載されるＩＣチップと通信を行い、当該ＩＣチップに記憶される情報の読み取り及び／又は書き込みを行う、ＩＣ通信部と、読取部及びＩＣ通信部を制御するための制御部とを備える。
【０００８】
この態様によれば、ＩＣチップが搭載された媒体又はＩＣチップが搭載された端末が置き台に載置されると、入出金装置は、読取部及びＩＣ通信部の少なくともいずれかを動作させることができる。読取部及びＩＣ通信部の両方が動作可能となる位置に、媒体又は端末を載置可能な置き台を設けることで、利用者の操作性、利用者の操作時間の短縮に寄与しながら、多機能化を実現する入出金装置を提供することができる。
【０００９】
上記入出金装置において、置き台は表示装置を備え、表示装置の表示面上に媒体又は端末を載置可能であり、制御部は、表示装置をさらに制御してもよい。この態様によれば、入出金装置は、読取部及び／又はＩＣ通信部の動作状態に応じた画面を、これらの動作に用いられる媒体又は端末が載置される表示装置上に表示させることができる。
【００１０】
上記入出金装置において、制御部は、読取部及びＩＣ通信部の少なくともいずれかを動作させるときに、媒体又は端末を載置する位置をガイドするための画面を表示装置に表示させてもよい。この態様によれば、媒体又は端末を載置する位置を、当該媒体又は端末が載置される表示装置上に表示することができるので、入出金装置における操作に不慣れな利用者であっても、迷うことなくスムーズに操作を行うことがきる。
【００１１】
上記入出金装置において、表示装置とは異なる第２表示装置をさらに備えていてもよい。この態様によれば、表示装置と第２の表示装置とを用いて、利用者の操作性にさらに寄与し得る入出金装置を提供することができる。
【００１２】
上記入出金装置において、読取部は、置き台に載置された媒体又は端末を、画像として読み取る光学読取部と、置き台に載置された媒体又は端末に表示されるコード情報を読み取るコード読取部とを備えてもよい。この態様によれば、光学読取部とコード読取部とを備えた、多機能化を実現する入出金装置を提供することができる。
【００１３】
上記入出金装置において、制御部は、置き台に媒体又は端末が載置されるとき、コード読取部、光学読取部、及びＩＣ通信部のうちの少なくとも２つを連動して動作させてもよい。この態様によれば、利用者は、置き台に媒体又は端末を載置させるだけで、コード読取部、光学読取部、及びＩＣ通信部のうちの少なくとも２つを連動して動作させ得る。
【００１４】
上記入出金装置において、制御部は、コード読取部、光学読取部、及びＩＣ通信部のうち、少なくとも１つを動作させると決定し、決定した処理を動作させ、決定した処理が完了した後、処理結果に基づいて、コード読取部、光学読取部、及びＩＣ通信部のうち、少なくとも１つをさらに動作させてもよい。この態様によれば、最初に動作させた処理の処理結果に基づいて、コード読取部、光学読取部、及びＩＣ通信部のうち、少なくとも１つをさらに動作させることができるので、入出金装置は、連動させ得る一連の処理を、漏れなく動作させることができる。
【００１５】
上記入出金装置において、置き台に媒体が載置されると、制御部が、光学読取部、及びＩＣ通信部を連動して動作させ、ＩＣ通信部が媒体のＩＣチップから読み取った情報と、光学読取部が取得した画像に対して文字認識処理を行うことによって得た情報とが照合されてもよい。この態様によれば、入出金装置は、ＩＣ通信部による情報の取得に加えて、光学読取部が読み取った画像から取得した情報とを用いて、よりセキュアな取引を実現することができる。
【００１６】
上記入出金装置において、置き台に、コード情報を表示した端末が載置されると、制御部がコード読取部を動作させて、制御部は、コード読取部が読み取ったコード情報に基づいて、ＩＣ通信部を動作させてもよい。この態様によれば、最初に動作させたコード読取部の処理結果であるコード情報に基づいて、入出金装置は、連動してＩＣ通信部を動作させることができる。
【００１７】
上記入出金装置において、撮像部をさらに備え、光学読取部又はＩＣ通信部が媒体から取得した顔写真と、撮像部が撮像した画像とが照合されてもよい。この態様によれば、入出金装置は、媒体が有する顔写真と、取引を行っている利用者を撮像した画像との照合結果を用いて、よりセキュアな取引を実現することができる。
【発明の効果】
【００１８】
本発明によれば、利用者の操作性、利用者の操作時間の短縮に寄与しながら、多機能化を実現する入出金装置を提供することができる。
【図面の簡単な説明】
【００１９】
【図１】本発明の一実施形態に係る入出金システムの構成例を示す図である。
【図２】本発明の一実施形態に係るＡＴＭの外観を示す図である。
【図３】本発明の一実施形態に係るＡＴＭの構成図である。
【図４】本発明の一実施形態に係る移動端末の構成図である。
【図５】ガイド画面の一例を示す図である。
【図６】本発明の一実施形態に係るＡＴＭの処理の一例を示すフローチャートである。
【図７】本発明の一実施形態に係るＡＴＭの処理の一例を示すフローチャートである。
【発明を実施するための形態】
【００２０】
添付図面を参照して、本発明の実施形態について説明する。なお、以下の実施形態は、本発明の理解を容易にするためのものであり、本発明を限定して解釈するためのものではない。また、本発明は、その要旨を逸脱しない限り、さまざまな変形が可能である。さらに、当業者であれば、以下に述べる各要素を均等なものに置換した実施形態を採用することが可能であり、係る実施形態も本発明の範囲に含まれる。
【００２１】
（システム構成）
図１は、本発明の一実施形態に係る入出金システムの構成例を示す。本実施形態の入出金システムは、利用者の個人属性情報を記憶したＩＣチップが搭載された媒体１０と、利用者の電子マネー情報を記憶した移動端末２０と、媒体１０及び／又は移動端末２０を用いて情報処理を行うＡＴＭ１００とを備える。
【００２２】
一実施形態では、媒体１０は、個人番号カードであり、ＡＴＭ１００は、個人番号カードを用いて本人確認処理を行うことができる。本人確認処理に際し、ＡＴＭ１００は、個人番号カードのＩＣチップに記憶された情報に加えて、個人番号カードの券面情報を取得して照合することによって、個人番号カードの真正性を確認することができる。
【００２３】
別の実施形態では、ＡＴＭ１００は、利用者の電子マネー情報を記憶した移動端末２０と協働して、電子マネー情報の更新処理を行うことができる。一実施形態では、移動端末２０には、ＡＴＭ１００と協働するアプリケーション（以下、アプリという。）がインストールされている。当該アプリは、利用者の入力に基づく所望の取引情報から生成された２次元コードを、移動端末２０の画面に表示することができる。ＡＴＭ１００は、移動端末２０の画面に表示された２次元コードから取引情報を取得して、取得した取引情報に基づいて、電子マネー情報の更新処理を行うことができる。
【００２４】
（ＡＴＭ外観）
図２は、本発明の一実施形態に係るＡＴＭの外観を示す図である。ＡＴＭ１００は、メイン表示部１０１、キャッシュカード等の磁気カードを受け付けるカード読取部１０２、紙幣を入出金する紙幣入出金部１０３、ユーザが操作する操作部１０４、コード読取部１０５、光学読取部１０６、置き台１０７、サブ表示部１０８及び非接触ＩＣ通信部１０９を備えている。
【００２５】
メイン表示部１０１は、例えば、ディスプレイ等の表示手段と、ユーザからの入力を受け付けるタッチパネル等の入力手段とを有し、表示手段にユーザの操作を誘導する画面や入力キーを表示し、この入力キーをタッチパネル上から押下することにより、入力キーに対応する情報を入力することができる。
【００２６】
コード読取部１０５は、例えば２次元コードリーダであって、バーコード、２次元コード等を含むコードを読み取る。本実施形態では、コード読取部１０５を、後述の置き台１０７の上方に設置する、。移動端末の画面を確認しながら移動端末を配置することができるので、利用者は、スムーズにコードの位置合わせを行うことができる。別の実施形態では、コード読取部１０５を、置き台１０７の内部に設置してもよい。
【００２７】
光学読取部１０６は、例えばイメージスキャナであって、後述の置き台１０７に載置された媒体１０を画像として読み取ることができる。本実施形態では、光学読取部１０６を、後述の置き台１０７の上方に設置することで、光学読取部１０６は、当該置き台１０７に載置された利用者のＩＣカード等を画像として読み取ることができる。別の実施形態では、光学読取部１０６を、置き台１０７の内部に設置してもよい。置き台１０７に載置された媒体又は端末の画像を読み取り可能な位置にコード読取部１０５及び光学読取部１０６を設置することで、置き台に媒体又は端末が載置されるとき、コード読取部１０５、光学読取部１０６、及び後述のＩＣ通信部１０９のうちの少なくとも２つを連動して動作させることができる。
【００２８】
置き台１０７は、コード読取部１０５によって読み取り可能なコードを提示する移動端末２０、又は光学読取部１０６によって読み取られるＩＣカード等の媒体１０を置くための台である。本実施形態の置き台１０７は、地面に対して略水平な表面を有してよく、光学読取部１０６は、手振れ等による影響を受けることなく、一定品質の画像を得ることができる。
【００２９】
サブ表示部１０８は、例えば、ディスプレイ等の表示手段を有し、置き台１０７の表面に設置されている。本実施形態では、サブ表示部１０８は、表示手段のみを有しているが、他の実施形態では、サブ表示部１０８もメイン表示部１０１と同様に、表示手段に加えて入力手段を有してもよい。コード読取部１０５によって読み取り可能なコードを提示する移動端末２０や、光学読取部１０６によって読み取られるＩＣカード等の媒体１０を置く置き台１０７の表面にサブ表示部１０８を設置することで、媒体１０や移動端末２０を載置する又はコードをかざす位置を直感的にガイドする画面を表示することができるので、ＡＴＭ１００における操作に不慣れな利用者であっても、迷うことなくスムーズに操作を行うことがきる。
【００３０】
非接触ＩＣ通信部１０９は、例えば非接触ＩＣリーダライタであって、媒体１０や移動端末２０に搭載された非接触ＩＣチップと非接触通信を行い、非接触ＩＣチップに記憶される情報の読み取り及び／又は書き込みを行うことができる。本実施形態では、非接触ＩＣ通信部１０９は、置き台１０７の内部に設置されており、非接触ＩＣチップが搭載された媒体１０や移動端末２０が置き台１０７に載置されることで、非接触ＩＣチップと通信を行うことができる。
【００３１】
本実施形態では、図１に示されるように、置き台１０７は、ＡＴＭ１００の利用者の操作性を考慮して利用者に近い、ＡＴＭ１００の手前側に設けられており、当該置き台１０７を中心として、置き台１０７の表面に設置されるサブ表示部１０８、置き台１０７の内部に設置される非接触ＩＣ通信部１０９、置き台１０７の上方に設置されることで当該置き台１０７の表面を読み取り可能な領域とするコード読取部１０５及び光学読取部１０６は、ＡＴＭ１００において、互いに近接した、所定のエリア内に設置されている。
【００３２】
（ＡＴＭ構成）
図３は、本発明の一実施形態に係るＡＴＭの構成を示す。ＡＴＭ１００は、メイン表示部１０１、キャッシュカード等の磁気カードを受け付けるカード読取部１０２、紙幣を入出金する紙幣入出金部１０３、ユーザが操作する操作部１０４、コード読取部１０５、光学読取部１０６、サブ表示部１０８、非接触ＩＣ通信部１０９、無線通信部１１０、撮像部１１１、ＡＴＭ制御部１１２及び記憶部１１３を備えている。
【００３３】
無線通信部１１０は、例えばＢｌｕｅｔｏｏｔｈ（登録商標）に従った近距離通信を行い、移動端末２０とデータの送受信を行うことができる。撮像部１１１は、動画又は静止画を撮像することができる。
【００３４】
ＡＴＭ制御部１１２は、ＣＰＵやＭＰＵ等の演算処理部１３０及びＲＡＭ等のメモリ１３１を備えている。演算処理部１３０は、各種入力に基づき、記憶部１１３に記憶されているプログラムを実行することで、各種機能部を動作させるものである。このプログラムは、ＣＤ−ＲＯＭ等の記録媒体に記憶され、若しくはネットワークＮを介して配布され、コンピュータにインストールされるものであってもよい。メモリ１３１は、ＡＴＭ用プログラムにおいて処理の実行中、演算等に必要な各種データを、一時的に記憶するためのものである。
【００３５】
記憶部１１３は、ハードディスク等の記憶装置によって構成され、ＡＴＭ制御部１１２における処理の実行に必要な各種プログラムや、各種プログラムの実行に必要なデータ等を記録しておくものである。
【００３６】
さらに、図３に示すように、演算処理部１３０は、機能部として、エリア制御部１３２、表示制御部１３３、文字認識部１３４、照合部１３５及びコード情報変換部１３６を備えている。
【００３７】
エリア制御部１３２は、メイン表示部１０１又は操作部１０５を介して取引が選択されると、選択された取引のために、媒体１０又は移動端末２０を用いるか否かを判定する。また、エリア制御部１３２は、コード読取部１０５、光学読取部１０６、及び非接触ＩＣ通信部１０９を動作させるか否かを決定する。
【００３８】
その後、エリア制御部１３２は、動作させると決定したすべての処理が完了したか否かを判定する。さらに、すべての処理が完了したと判定される場合、エリア制御部１３２は、連動して動作させる処理がないか否かを判定する。
【００３９】
表示制御部１３３は、サブ表示部１０８又はメイン表示部１０１に表示する画像を生成し、その表示を制御する。本実施形態では、表示制御部１３３は、置き台１０７へ媒体１０や移動端末２０を載置する又はコードをかざす位置を直感的にガイドするガイド画面を生成し、表示する。図５は、ガイド画面の一例を示す図である。図５（Ａ）は、コード読取部１０５によって読み取られるコードをかざす位置をガイドするガイド画面であり、図５（Ｂ）は、光学読取部１０６によって読み取られる、及び／又は非接触ＩＣ通信部１０９が通信するＩＣチップが搭載された媒体１０を載置する位置をガイドするガイド画面であり、図５（Ｃ）は、コード読取部１０５の読み取り領域を示すガイド画面である。
【００４０】
なお、表示制御部１３３は、エリア制御部１３２が用いると判定した媒体１０又は移動端末２０並びに、動作させると決定した処理に応じて、異なるガイド画面を作成して表示することができる。
【００４１】
表示制御部１３３は、載置又はかざされている媒体１０や移動端末２０を移動することを抑制する注意画面を生成し、コード読取部１０５、光学読取部１０６、及び非接触ＩＣ通信部１０９の少なくとも１つが動作中、表示することができる。
【００４２】
また、表示制御部１３３は、コード読取部１０５、光学読取部１０６、及び非接触ＩＣ通信部１０９のうち、動作させると決定されたすべての処理が完了した場合、載置又はかざされている媒体１０や移動端末２０が移動可能になったことを示す案内画面を生成し、表示することができる。
【００４３】
文字認識部１３４は、光学読取部１０６が取得した画像データに対して文字認識処理を行う。例えば、光学読取部１０６が個人番号カードの画像データを取得した場合、文字認識部１３４は、画像データに対して文字認識処理を行い、氏名、住所、生年月日、性別等を取得することができる。また、光学読取部１０６が免許証の画像データを取得した場合、文字認識部１３４は、画像データに対して文字認識処理を行い、氏名、住所、生年月日、免許証番号等を取得することができる。また、光学読取部１０６がパスポートの画像データを取得した場合、文字認識部１３４は、画像データに対して文字認識処理を行い、氏名、国籍、生年月日、旅券番号等を取得することができる。
【００４４】
照合部１３５は、非接触ＩＣ通信部１０９がＩＣチップから読み取った情報と、文字認識部１３４が画像データから取得した情報とを照合する。また、照合部１３５は、光学読取部１０６が取得した画像データ内の顔写真、あるいは非接触ＩＣ通信部１０９がＩＣチップから読み取った顔写真と、撮像部１１１が撮像した画像とを照合してもよい。なお、照合部１３５は、撮像部１１１が任意のタイミングで撮像した画像を使用して照合することができる。
【００４５】
コード情報変換部１３６は、コード読取部１０５が読み取ったコード情報を、ＡＴＭ１００が処理可能なデータ形式に変換する。本実施形態では、コード情報変換部１３６は、コード情報を、取引種別、取引対象及び取引金額を含む取引情報に変換する。取引種別は、例えば入金処理や出金処理等、ＡＴＭ１００で取引可能な種別を示す情報である。取引対象は、取引種別で示された取引を行う対象となる、口座又は電子マネーを記憶した媒体１０や移動端末２０等を識別するための情報である。
【００４６】
（移動端末構成）
図４は、本発明の一実施形態に係る移動端末の構成を示す。図４に示すように、移動端末２０は、ユーザからの操作を受け付けるタッチパネル等の入力部２１、ディスプレイ等の表示部２２、ＣＰＵ及びメモリを含む端末制御部２３、記憶部２４、Ｂｌｕｅｔｏｏｔｈ（登録商標）等の近距離通信により通信を行う無線通信部２５、非接触ＩＣチップ２６等を備えている。
【００４７】
端末制御部２３は、記憶部２４に記憶されているアプリ２４１のプログラムがＲＡＭに読み出され、ＣＰＵによって実行されることで、ＵＩ表示部２３１及びコード生成部２３２として機能する。
【００４８】
ＵＩ表示部２３１は、取引情報を入力するための取引情報入力画面等を表示する。本実施形態では、ＵＩ表示部２３１は、取引種別、取引対象及び取引金額を含む取引情報入力画面を表示する。前述したように、取引種別は、例えば入金処理や出金処理等、ＡＴＭ１００で取引可能な種別を示す情報である。取引対象は、取引種別で示された取引を行う対象となる、口座又は電子マネーを記憶した媒体１０や移動端末２０等を識別するための情報である。
【００４９】
コード生成部２３２は、ＡＴＭ１００が認識可能な２次元コードを生成する。本実施形態では、コード生成部２３２は、取引情報入力画面に入力された情報に基づいて、２次元コードを生成する。
【００５０】
（第１実施形態）
本実施形態では、図６及び図７を参照して、非接触ＩＣチップが搭載された個人番号カードを所持する利用者が、ＡＴＭ１００において操作する例について説明する。
【００５１】
利用者がメイン表示部１０１又は操作部１０５を介して取引を選択すると（Ｓ６０１）、ＡＴＭ１００のエリア制御部１３２は、選択された取引のために、媒体１０又は移動端末２０を用いるか否かを判定する（Ｓ６０２）。媒体１０及び移動端末２０を用いないと判定される場合、処理は終了する。
【００５２】
一方で、媒体１０又は移動端末２０を用いると判定される場合（Ｓ６０２：Ｙｅｓ）、エリア制御部１３２は、コード読取部１０５、光学読取部１０６、及び非接触ＩＣ通信部１０９を動作させるか否かを決定する（Ｓ６０３）。ここでは、利用者は、本人確認の手続きが必要な口座の開設を選択し、エリア制御部１３２は、Ｓ６０２において媒体１０を用いると判定し、さらに、Ｓ６０３において、光学読取部１０６、及び非接触ＩＣ通信部１０９を動作させると決定する。
【００５３】
Ｓ６０４において、ＡＴＭ１００の表示制御部１３３は、Ｓ６０２及びＳ６０３に応じたガイド画面を作成して、サブ表示部１０８に表示する。ここでは、Ｓ６０２で用いると判定された媒体１０、並びに、Ｓ６０３で動作させると決定された光学読取部１０６、及び非接触ＩＣ通信部１０９に応じて、表示制御部１３３は、図５（Ｂ）に示されるような、媒体１０を置き台１０７に載置する位置をガイドするガイド画面を作成して、サブ表示部１０８に表示したものとする。
【００５４】
利用者が媒体１０又は移動媒体２０を置き台１０７に載置又はかざすと（Ｓ６０５）、表示制御部１３３は、載置又はかざされている媒体１０又は移動媒体２０を移動することを抑制する注意画面を生成し、サブ表示部１０８に表示する（Ｓ６０６）。
【００５５】
続いて、エリア制御部１３２は、コード読取部１０５、光学読取部１０６、及び非接触ＩＣ通信部１０９のうち、Ｓ６０３で動作させると決定したものを、それぞれ動作させる（Ｓ６０７）。ここでは、光学読取部１０６、及び非接触ＩＣ通信部１０９が、それぞれ動作を開始したものとする。
【００５６】
その後、エリア制御部１３２は、動作させると決定したすべての処理が完了したか否かを判定する（Ｓ６０８）。さらに、すべての処理が完了したと判定される場合、エリア制御部１３２は、連動して動作させる処理がないか否かを判定する（Ｓ６０９）。本実施形態では、Ｓ６０８においてすべての処理が完了したと判定された後、Ｓ６０９において、エリア制御部１３２は、連動して動作させる処理がないと判定する。
【００５７】
連動して動作させる処理がないと判定される場合、表示制御部１３３は、載置又はかざされている媒体１０や移動端末２０が移動可能になったことを示す案内画面を生成し、サブ表示部１０８に表示する（Ｓ６１０）。本実施形態では、処理はさらに図７へと進む。
【００５８】
ＡＴＭ１００の文字認識部１３４は、光学読取部１０６が取得した画像データに対して文字認識処理を行う（Ｓ７０１）。ここでは、文字認識部１３４は、光学読取部１０６がＳ６０７で取得した個人番号カードの画像データに対して文字認識処理を行い、氏名、住所、生年月日、性別等を取得する。
【００５９】
ＡＴＭ１００の照合部１３５は、非接触ＩＣ通信部１０９がＳ６０７でＩＣチップから読み取った情報と、文字認識部１３４がＳ７０１で画像データから取得した情報とを照合する（Ｓ７０２）。さらに、本実施形態では、照合部１３５は、非接触ＩＣ通信部１０９がＩＣチップから読み取った顔写真と、撮像部１１１が撮像した画像とを照合する（Ｓ７０３）。
【００６０】
照合部１３５は、照合した結果をＡＴＭ１００のＡＴＭ制御部１１２に通知し（Ｓ７０４）、処理を終了する。照合に成功したことを示す結果が通知されると、ＡＴＭ制御部１１２は、選択された取引を続行する。一方、照合に失敗したことを示す結果が通知されると、ＡＴＭ制御部１１２は、選択された取引を続行するために必要な処理をメイン表示部１０１等に表示する。
【００６１】
以上、本実施形態によれば、利用者がサブ表示部１０８に表示されたガイド画面に従って個人番号カードを載置することで、ＡＴＭ１００は、光学読取部１０６及び非接触ＩＣ通信部１０９を連動して動作させることができる。
【００６２】
ＡＴＭ１００は、非接触ＩＣ通信部１０９による情報の取得に加えて、光学読取部１０６が読み取った画像データから取得した情報とを用いて、よりセキュアな取引を実現することができる。利用者は、光学読取部１０６を動作させるために、個人番号カードを移動して別の領域に置き直す等の追加の操作をすることなく、所望の取引を行うことができる。
【００６３】
（第２実施形態）
本実施形態では、図６を参照して、非接触ＩＣチップが搭載された移動端末２０を所持する利用者が、ＡＴＭ１００において操作する例について説明する。移動端末２０の非接触ＩＣチップには、電子マネー情報が記憶されている。また、移動端末２０には、ＡＴＭ１００と協働する前述のアプリ２４１がインストールされている。
【００６４】
利用者は、ＡＴＭ１００での操作に先立ち、移動端末２０のアプリ２４１を起動して、取引の事前登録を行うものとする。具体的には、利用者は、アプリ２４１のＵＩ表示部２３１が表示した取引情報入力画面において、所望の取引情報を入力する。ここでは、取引種別、取引対象及び取引金額を含む取引情報入力画面において、利用者は、取引種別「出金」、取引対象「移動端末ＩＣチップ識別情報」、取引金額「５，０００円」を入力したものとする。
【００６５】
取引情報入力画面において例えば登録ボタンを押下する等、利用者が取引情報の入力を確定させると、アプリ２４１のコード生成部２３２が、取引情報入力画面に入力された情報に基づいて、２次元コードを生成する。２次元コードが生成されると、ＵＩ表示部２３１は、生成された２次元コードを移動端末２０の表示部２２に表示する。
【００６６】
利用者がメイン表示部１０１又は操作部１０５を介して取引を選択すると（Ｓ６０１）、ＡＴＭ１００のエリア制御部１３２は、選択された取引のために、媒体１０又は移動端末２０を用いるか否かを判定する（Ｓ６０２）。媒体１０又は移動端末２０を用いると判定される場合（Ｓ６０２：Ｙｅｓ）、エリア制御部１３２は、コード読取部１０５、光学読取部１０６、及び非接触ＩＣ通信部１０９を動作させるか否かを決定する（Ｓ６０３）。
【００６７】
ここでは、利用者は、アプリ２４１で登録した取引の実行を選択し、エリア制御部１３２は、Ｓ６０２において移動端末２０を用いると判定し、さらに、Ｓ６０３において、コード読取部１０５を動作させると決定する。
【００６８】
Ｓ６０４において、ＡＴＭ１００の表示制御部１３３は、Ｓ６０２及びＳ６０３に応じたガイド画面を作成して、サブ表示部１０８に表示する。ここでは、Ｓ６０２で用いると判定された移動端末２０、並びに、Ｓ６０３で動作させると決定されたコード読取部１０５に応じて、表示制御部１３３は、図５（Ａ）に示されるような、移動端末２０に提示されたコードをかざす位置をガイドするガイド画面を作成して、サブ表示部１０８に表示したものとする。一実施形態では、表示制御部１３３は、図５（Ｃ）に示されるような、コード読取部１０５の読み取り領域を示すガイド画面を作成して、メイン表示部１０１に表示してもよい。
【００６９】
利用者が移動媒体２０を載置すると（Ｓ６０５）、表示制御部１３３は、載置されている移動媒体２０を移動することを抑制する注意画面を生成し、サブ表示部１０８に表示する（Ｓ６０６）。
【００７０】
続いて、エリア制御部１３２は、コード読取部１０５、光学読取部１０６、及び非接触ＩＣ通信部１０９のうち、動作させると決定したものを、それぞれ動作させる（Ｓ６０７）。ここでは、コード読取部１０５が、動作を開始したものとする。
【００７１】
ここで、本実施形態では、コード読取部１０５のコードの読み取り処理に続いて、ＡＴＭ１００のコード情報変換部１３６が、コード読取部１０５が読み取ったコード情報を、ＡＴＭ１００が処理可能なデータ形式に変換する。具体的には、コード情報変換部１３６は、コード情報を、取引種別、取引対象及び取引金額を含む取引情報に変換する。ここでは、コード情報変換部１３６が、コード情報を、取引種別「出金」、取引対象「移動端末ＩＣチップ識別情報」、及び取引金額「５，０００円」を含む取引情報に変換したものとする。
【００７２】
その後、エリア制御部１３２は、動作させると決定したすべての処理が完了したか否かを判定する（Ｓ６０８）。ここでは、すべての処理が完了したと判定され、エリア制御部１３２は、連動して動作させる処理がないか否かを判定する（Ｓ６０９）。本実施形態では、取引情報に基づいて、非接触ＩＣ通信部１０９を連動して動作させる必要があるので、エリア制御部１３２は、連動して動作させる処理があると判定し（Ｓ６０９：Ｎｏ）、Ｓ６０７に進む。
【００７３】
Ｓ６０７において、エリア制御部１３２が、連動して動作させる処理として決定した非接触ＩＣ通信部１０９を動作させる。ここでは、非接触ＩＣ通信部１０９は、移動端末２０のＩＣチップに記憶された電子マネーの残高を５，０００円分減額して更新するように処理する。
【００７４】
再度、エリア制御部１３２は、動作させると決定したすべての処理が完了したか否かを判定する（Ｓ６０８）。さらに、すべての処理が完了したと判定される場合、エリア制御部１３２は、連動して動作させる処理がないか否かを判定する（Ｓ６０９）。ここでは、連動して動作させる処理がないと判定され（Ｓ６０９：Ｙｅｓ）、表示制御部１３３は、載置又はかざされている媒体１０や移動端末２０が移動可能になったことを示す案内画面を生成し、サブ表示部１０８に表示する（Ｓ６１０）。
【００７５】
最後に、ＡＴＭ１００の紙幣入出金部１０３は、取引情報に基づいて、５，０００円を放出する。
【００７６】
以上、本実施形態によれば、利用者がサブ表示部１０８に表示されたガイド画面に従って移動端末２０を載置することで、ＡＴＭ１００は、コード読取部１０５をまず動作させ、さらに、コード読取部１０５による処理結果に基づいて、非接触ＩＣ通信部１０９を連動して動作させることができる。利用者は、非接触ＩＣ通信部１０９を動作させるために、移動端末２０を移動して別の領域に置き直す等の追加の操作をすることなく、所望の取引を行うことができる。
【符号の説明】
【００７７】
１０…媒体、２０…移動端末（端末）、２１…入力部、２２…表示部、２３…端末制御部、２３１…ＵＩ表示部、２３２…コード生成部、２４…記憶部、２４１…アプリ、２５…無線通信部、２６…非接触ＩＣチップ、１００…ＡＴＭ（入出金装置）、１０１…メイン表示部（第２表示装置）、１０２…カード読取部、１０３…紙幣入出金部、１０４…操作部、１０５…コード読取部（読取部）、１０６…光学読取部（読取部）、１０７…置き台、１０８…サブ表示部（表示装置）、１０９…非接触ＩＣ通信部（ＩＣ通信部）、１１０…無線通信部、１１１…撮像部、１１２…ＡＴＭ制御部、１３０…演算処理部、１３１…メモリ、１３２…エリア制御部（制御部）、１３３…表示制御部（制御部）、１３４…文字認識部、１３５…照合部、１３６…コード情報変換部、１１３…記憶部
【図１】
2020017063.tif 000003
【図２】
2020017063.tif 000004
【図３】
2020017063.tif 000005
【図４】
2020017063.tif 000006
【図５】
2020017063.tif 000007
【図６】
2020017063.tif 000008
【図７】
2020017063.tif 000009
【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
ＩＣチップが搭載された媒体又はＩＣチップが搭載された端末を用いて取引可能な入出金装置であって、当該入出金装置において取引を行うユーザに、取引に関する画面を表示する第２の表示装置を備え、
表示装置を備える置き台であって、前記媒体又は前記端末を前記表示装置の表示面上に載置可能な置き台と、
前記置き台に載置された媒体又は端末の画像を読み取り可能な位置に設置される読取部であって、前記置き台に載置された媒体又は端末の画像及び／又はコード情報を読み取る読取部と、
前記置き台の内部又は近傍に設置されるＩＣ通信部であって、前記置き台に載置された媒体又は端末に搭載されるＩＣチップと通信を行い、当該ＩＣチップに記憶される情報の読み取り及び／又は書き込みを行う、ＩＣ通信部と、
前記表示装置、前記読取部及び前記ＩＣ通信部を制御するための制御部と、
を備え、
前記制御部は、前記読取部及び前記ＩＣ通信部の少なくともいずれかを動作させるときに、前記媒体又は前記端末を載置する位置をガイドするための画面を前記表示装置に表示させる入出金装置。
【請求項２】
前記読取部は、前記表示装置の前記表示面に対向する位置に設置される、請求項１に記載の入出金装置。
【請求項３】
前記第２の表示装置は、前記表示装置の前記表示面と異なる角度の表示面を有する、請求項１又は２に記載の入出金装置。
【請求項４】
前記表示装置の表示面は、地面に対して略水平である、請求項１から３のいずれか一項に記載の入出金装置。
【請求項５】
前記読取部は、
前記置き台に載置された媒体又は端末を、画像として読み取る光学読取部と、
前記置き台に載置された媒体又は端末に表示されるコード情報を読み取るコード読取部と、
を備える請求項１から４のいずれか一項に記載の入出金装置。
【請求項６】
前記制御部は、前記置き台に前記媒体又は前記端末が載置されるとき、前記コード読取部、前記光学読取部、及び前記ＩＣ通信部のうちの少なくとも２つを連動して動作させる、請求項５に記載の入出金装置。
【請求項７】
前記制御部は、前記コード読取部、前記光学読取部、及び前記ＩＣ通信部のうち、少なくとも１つを動作させると決定し、決定した処理を動作させ、
決定した処理が完了した後、処理結果に基づいて、前記コード読取部、前記光学読取部、及び前記ＩＣ通信部のうち、少なくとも１つをさらに動作させる、請求項５又は６に記載の入出金装置。
【請求項８】
前記置き台に前記媒体が載置されると、
前記制御部が、前記光学読取部、及び前記ＩＣ通信部を連動して動作させ、
前記ＩＣ通信部が前記媒体の前記ＩＣチップから読み取った情報と、前記光学読取部が取得した画像に対して文字認識処理を行うことによって得た情報とが照合される、請求項６に記載の入出金装置。
【請求項９】
前記置き台に、前記コード情報を表示した前記端末が載置されると、
前記制御部が前記コード読取部を動作させて、
前記制御部は、前記コード読取部が読み取ったコード情報に基づいて、前記ＩＣ通信部を動作させる、請求項７に記載の入出金装置。
【請求項１０】
撮像部をさらに備え、
前記光学読取部又は前記ＩＣ通信部が前記媒体から取得した顔写真と、前記撮像部が撮像した画像とが照合される、請求項５から９のいずれか一項に記載の入出金装置。